(57)【要約】 【課題】医療用複合麻酔装置を提供すること。【解決手段】ニードルを介して局所麻酔用麻酔溶液が体内に注入されるようにする注射器に、表面麻酔液の噴射機能が付加されるようにして、ニードル体内に挿入される前に、表面麻酔溶液の噴射を介して当該部位の皮膚組織を麻酔させることにより、麻酔溶液の注入時に発生する疼痛が軽減するようにする。【選択図】図１
2017508560.tif 000002
【特許請求の範囲】
【請求項１】
内部には麻酔溶液の充填されたカートリッジ（１１０）が交換可能に装着され、前方には前記麻酔溶液が供給できるように前記カートリッジ（１１０）に連結されたニードル（１２０）が備えられ、一側にはその操作に応じて前記ニードル（１２０）を介した前記麻酔溶液の注入量が制御されるコントローラ（１３０）が備えられる本体（１００）と、
前記本体（１００）の一側に前記ニードル（１２０）と水平方向に配置され、前方には噴射ノズル（２１０）が備えられ、後方にはアダプター（２２０）が備えられ、一側には調節つまみ（２３０）が備えられる締結部材（２００）と、
前記アダプター（２２０）側に脱着可能に締結され、内部には表面麻酔溶液が充填され、前記調節つまみ（２３０）の調節に応じて前記噴射ノズル（２１０）を介して前記表面麻酔溶液が噴射されるように構成される表面麻酔溶液充填部材（３００）と、を備える
ことを特徴とする医療用複合麻酔装置。
【請求項２】
前記本体（１００）は、手動式注射器状または拳銃状または電子式注射器状に形成され、注射溶液の注入方式は手動式および電子式のいずれかが選択的に使用されるものである
請求項１に記載の医療用複合麻酔装置。
【請求項３】
前記噴射ノズル（２１０）の内部には前方への出し入れが可能な補助噴射ノズル（２４０）が備わり、前記噴射ノズル（２１０）の側面には溝部（２１１）が設けられ、前記溝部（２１１）には前記補助噴射ノズル（２４０）から延設された調節突起（２４１）が突出位置するため、前記溝部（２１１）内における前記調節突起（２４１）の前後方移動に応じて前記噴射ノズル（２１０）内からの前記補助噴射ノズル（２４０）の出し入れが制御される
請求項１または２に記載の医療用複合麻酔装置。
【発明の詳細な説明】
【技術分野】
【０００１】
本発明は、医療用複合麻酔装置に係り、さらに詳しくは、ニードルを介して局所麻酔用麻酔溶液が体内に注入されるようにする注射器に、表面麻酔溶液の噴射機能が付加されるようにして、ニードルが体内に挿入される前に、表面麻酔溶液の噴射を介して当該部位の皮膚組織を麻酔させるか或いは感覚を鈍化させることにより、麻酔溶液の注入時に発生する疼痛が軽減するようにした医療用複合麻酔装置に関する。
【背景技術】
【０００２】
一般に、局所麻酔は、リドカイン（ｌｉｄｏｃａｉｎｅ）などの麻酔溶液を手術すべき部位に直接注入して手術部位だけを麻酔させる方法である。このような局所麻酔は、目や鼻などの形成外科手術、またはインプラントや抜歯などの歯科施術に使用され、更には皮膚科、整形外科および外科などにも手術や施術目的に応じて広く使用されている。
【０００３】
この際、一回の麻酔溶液注入で局所麻酔が完了するのではなく、手術または施術の部位に応じて多数回にわたって何度もニードルが挿入されなければならず、それだけでなく、該当部位に神経が密集している場合、ニードルを挿入するたびに患者が感じる疼痛が相当であるという問題点があった。
一方、特定の部位の皮膚を麻酔させるか或いは感覚を鈍化させるスプレー方式の局所麻酔剤が公知になっているが、従来の麻酔用注射器とは別に備えなければならず、一時に麻酔が行われるのではないので、その使用過程が煩雑であるという欠点があった。また、従来のスプレー式局所麻酔剤は、その大きさが相当であって、精巧な施術を要する場合には使用に制限があるなどの問題があった。
【発明の概要】
【発明が解決しようとする課題】
【０００４】
そこで、本発明は、ニードルを介して局所麻酔用麻酔溶液が体内に注入されるようにする注射器に、表面麻酔液の噴射機能が付加されるようにして、ニードルが体内に挿入される前に、表面麻酔溶液の噴射を介して当該部位の皮膚組織を麻酔させるか或いは感覚を鈍化させることにより、麻酔溶液の注入時に発生する疼痛が軽減するようにした医療用複合麻酔装置を提供することを目的とする。
また、本発明は、精巧な手術または施術にも使用が容易であり、局所麻酔を必要とする特定の皮膚組織に正確に表面麻酔溶液を噴射することが可能な医療用複合麻酔装置を提供することを目的とする。
【課題を解決するための手段】
【０００５】
上記目的を達成するために、本発明は、内部には麻酔溶液の充填されたカートリッジが交換可能に装着され、前方には前記麻酔溶液が供給できるように前記カートリッジに連結されたニードルが備えられ、一側にはその操作に応じて前記ニードルを介した前記麻酔溶液の注入量が制御されるコントローラが備えられる本体と、前記本体の一側に前記ニードルと水平方向に配置され、前方には噴射ノズルが備えられ、後方にはアダプターが備えられ、一側には調節つまみが備えられる締結部材と、前記アダプター側に脱着可能に締結され、内部には表面麻酔液が充填され、前記調節つまみの調節に応じて前記噴射ノズルを介して前記表面麻酔溶液が噴射されるように構成される表面麻酔溶液充填部材と、を含んでなることを特徴とする、医療用複合麻酔装置を提供する。
【０００６】
本発明において、前記本体は手動式注射器状または拳銃状または電子式注射器状に形成され、注射溶液の注入方式は手動式および電子式のいずれかが選択されて使用される。
【０００７】
本発明において、前記噴射ノズルの内部には前方への出し入れが可能な補助噴射ノズルがさらに備えられるが、前記噴射ノズルの側面には溝部が設けられ、前記溝部には前記補助噴射ノズルから延設された調節突起が突出位置するため、前記溝部内における前記調節突起の前後方移動に応じて前記噴射ノズル内からの前記補助噴射ノズルの出し入れが制御される。
【発明の効果】
【０００８】
上述したような本発明に係る医療用複合麻酔装置は、ニードルを介して局所麻酔用麻酔溶液が体内に注入されるようにする注射器に、表面麻酔液の噴射機能が付加されるようにして、ニードルが体内に挿入される前に、表面麻酔溶液の噴射を介して当該部位の皮膚組織を麻酔させるか或いは感覚を鈍化させることにより、麻酔溶液の注入時に発生する疼痛を軽減させることができるという利点を有する。
【図面の簡単な説明】
【０００９】
【図１】本発明の一実施形態に係る医療用複合麻酔装置の斜視図
【図２】本発明の一実施形態に係る医療用複合麻酔装置の作動図
【図３】図１の変更例を示す作動説明図
【図４】本発明の他の実施形態に係る医療用複合麻酔装置の斜視図
【図５】図４の変更例を示す作動説明図
【図６】本発明の別の実施形態に係る医療用複合麻酔装置の斜視図
【発明を実施するための形態】
【００１０】
以下に添付図面を参照しながら、本発明の好適な実施形態を詳細に説明する。但し、これらの実施形態は、本発明の属する技術分野における通常の知識を有する者が発明を容易に実施し得る程度に詳細に説明するためのもので、本発明の技術的思想および範疇を限定するものではない。
【００１１】
図１は本発明の一実施形態に係る医療用複合麻酔装置の斜視図、図２は本発明の一実施形態に係る医療用複合麻酔装置の作動図、図３は図１の変更例を示す作動図、図４は本発明の他の実施形態に係る医療用複合麻酔装置の斜視図、図５は図４の変更例を示す作動図、図６は本発明の別の実施形態に係る医療用複合麻酔装置の斜視図である。
【００１２】
本発明の好適な一実施形態に係る医療用複合麻酔装置は、内部には麻酔溶液の充填されたカートリッジが交換可能に装着され、前方には前記麻酔溶液が供給できるように前記カートリッジに連結されたニードルが備えられ、一側にはその操作に応じて前記ニードルを介した前記麻酔溶液の注入量が制御されるコントローラが備えられる本体と、前記本体の一側に前記ニードルと水平方向に配置されるが、前方に噴射ノズルが備えられ、後方にはアダプターが備えられ、一側には調節つまみが備えられる締結部材と、前記アダプター側に脱着可能に締結され、内部には表面麻酔液が充填され、前記調節つまみの調節に応じて前記噴射ノズルを介して前記表面麻酔溶液が噴射されるように構成される表面麻酔溶液充填部材と、を含んでなる。
【００１３】
以下、図１乃至図６を参照して、本発明の好適な実施形態に係る医療用複合麻酔装置１の構成部材およびその連結関係について詳細に説明する。
ここで、本体１００は、麻酔溶液が体内に注入されるようにするとともに、後述の構成部材が作動可能に設置される役割をするものである。このような本体１００は、その内部には麻酔溶液（好ましくはリドカインアンプル）の充填されたカートリッジ１１０が交換可能に装着され、前方には麻酔溶液が供給できるようにカートリッジ１１０に連結されたニードル１２０が備えられ、一側にはその操作に応じてニードル１２０を介した麻酔溶液の注入量が制御されるコントローラ１３０が備えられる。
【００１４】
前述した本体１００は、図１乃至図３に示すように手動式注射器状に形成されてもよく、図４及び図５に示すように拳銃状に形成されてもよく、図６に示すように電子式注射器状に形成されてもよい。また、麻酔溶液の注入は前述したコントローラ１３０によって制御されるが、このとき、コントローラ１３０の制御方式は、施術者が直接手でコントローラ１３０を加圧して注入溶液が体内に注入されるようにする手動式であってもよく、施術者が注入量を設定すると、所定の電動装置によってコントローラ１３０を加圧して注入溶液が注入されるようにする自動式であってもよい。
【００１５】
このような本体１００のコントローラ１３０の作動方法だけでなく、カートリッジ１１０およびニードル１２０の使用方法などは、従来技術による手動式注射器型麻酔装置、拳銃型麻酔装置および電子式注射器型麻酔装置と同様であって従来技術から十分に類推できるので、これ以上の具体的な説明は明細書の簡略化のために省略する。
【００１６】
一方、前述した本体１００のニードル１２０の下側には締結部材２００が備えられるが、この締結部材２００は、後述する表面麻酔溶液充填部材３００が充填ガス噴射可能に締結され、締結された表面麻酔溶液充填部材３００から当該部位に向かって表面麻酔溶液が噴射されるようにする役割をするものである。このような締結部材２００は、前述したニードル１２０と水平方向に配置されるが、前方に噴射ノズル２１０が備えられ、後方にはアダプター２２０が備えられ、一側には調整つまみ２３０が備えられる。
【００１７】
前述した噴射ノズル２１０がニードル１２０の直下方にニードル１２０と平行に位置することにより、表面麻酔溶液の噴射後に速やかに麻酔溶液の注入が可能である。また、前述した噴射ノズル２１０の内部には、前方への出し入れが可能な補助噴射ノズル２４０がさらに備えられることにより、麻酔が必要な当該部位に近接して位置することができるため、正確に表面麻酔溶液が噴射できる。
【００１８】
このとき、前述した噴射ノズル２１０の側面には溝部２１１が設けられ、この溝部２１１には補助噴射ノズル２４０から延設された調節突起２４１が突出位置するため、溝部２１１内における調整突起２４１の前後方移動に応じて噴射ノズル２１０内からの補助噴射ノズル２４０の出し入れが制御できる。また、前述したアダプター２２０は、後述する表面麻酔溶液充填部材３００が螺合されるもので、この螺合と同時に、内部に充填された表面麻酔溶液が噴射ノズル２１０の先端を介して外部へ噴射可能な状態に準備される。そして、前述した調節つまみ２３０は、噴射可能な状態に準備された表面麻酔溶液を噴射するか否かを制御する役割をする。
【００１９】
また、前述したアダプター２２０は、図２及び図４に示すように、表面麻酔溶液充填部材３００が垂直方向に結合されるように位置してもよく、図３及び図５に示すように、表面麻酔溶液充填部材３００が水平方向に結合されるように位置してもよい。
【００２０】
このような前述したアダプター２２０と調節つまみ２３０を用いた表面麻酔溶液の噴射は、従来技術によるガス噴射および制御方法と同様にして従来技術から十分に類推できるので、これ以上の具体的な説明は明細書の簡略化のために省略する。
【００２１】
一方、前述したアダプター２２０側には表面麻酔溶液充填部材３００が表面麻酔溶液供給可能に締結されるが、この表面麻酔溶液充填部材３００は、その内部に、噴射の際に皮膚組織を麻酔させるか或いは感覚を鈍化させることが可能な表面麻酔溶液が充填されるもので、前述した調節つまみ２３０の調節に応じて噴射ノズル２１０を介して表面麻酔溶液が噴射されるように構成される。
【００２２】
このような表面麻酔溶液充填部材３００は、アダプター２２０側に螺合方式で締結され、締結部位に供給管部３１０が突設されており、この供給管部３１０とアダプター２２０との結合によって、表面麻酔溶液充填部材３００が締結部材２００と表面麻酔溶液供給可能に連結される。つまり、前述した供給管部３１０がアダプター２２０に結合されると同時に加圧され、内部の表面麻酔溶液が供給可能な状態となり、調節つまみ２３０によって、表面麻酔溶液を噴射するか否かが決定される。
【００２３】
前述した表面麻酔溶液充填部材３００は、充填された表面麻酔溶液が消尽する場合に再度充填して再利用でき、使用される表面麻酔溶液充填部材３００の容量は、本体１００の大きさに応じて多様に変更できる。また、締結部材２００との締結方式も、本発明の好適な一実施形態と同様に螺子方式が採用されてもよく、その他に、様々な締結方式のいずれかが選択されて採用されてもよい。
【００２４】
以上、幾つかの実施形態が例示的に説明されたにも拘らず、本発明は、その趣旨および範疇から外れることなく、他の様々な形態に具体化できるという事実は、当該技術における通常の知識を有する者には自明なことである。よって、上述した実施形態は限定的なものではなく、例示的なものであり、添付された請求の範囲およびその同等範囲内のすべての実施形態も本発明の範囲内に含まれる。
【符号の説明】
【００２５】
１    医療用複合麻酔装置
１００    本体
１１０    カートリッジ
１２０    ニードル
１３０    コントローラ
２００    締結部材
２１０    噴射ノズル
２１１    溝部
２２０    アダプター
２３０    調節つまみ
２４０    補助噴射ノズル
２４１    調節突起
３００    表面麻酔溶液充填部材
３１０    供給管部
【図１】
2017508560.tif 000003
【図２】
2017508560.tif 000004
【図３】
2017508560.tif 000005
【図４】
2017508560.tif 000006
【図５】
2017508560.tif 000007
【図６】
2017508560.tif 000008
【手続補正書】
【提出日】平成28年9月21日(2016.9.21)
【手続補正１】
【補正対象書類名】図面
【補正対象項目名】図３
【補正方法】変更
【補正の内容】
【図３】
2017508560.tif 000009
【手続補正２】
【補正対象書類名】図面
【補正対象項目名】図４
【補正方法】変更
【補正の内容】
【図４】
2017508560.tif 000010
【国際調査報告】
2017508560.tif 000011
2017508560.tif 000012
2017508560.tif 000013
2017508560.tif 000014